(57)【要約】【課題】多相駆動電気エネルギーを通して、直接に交流電源の直流電気エネルギーにより駆動する発光体を駆動し、その発光照度は交流電源の電圧のパルス率に従って低下する。【解決手段】本発明は位相差を持つ多相交流電源を通して、または多相交流電源を直流電源に変換し、同一の直流電気エネルギーにより駆動する発光体を駆動し、または別々にすぐ横に設置される個別の直流電気エネルギーにより駆動する発光体を駆動し、外部への照射光のパルスを低減させる。【選択図】図２
2011009214.tif 000002
【特許請求の範囲】
【請求項１】
一種の多相駆動電気エネルギーを通して光パルスを抑制する照明装置であって、位相差を持つ多相交流電源を通して、または多相交流電源を直流電源に変換することにより、同一の電気エネルギーを駆動することにより発光体を駆動し、または別々にすぐ横に設置される個別の電気エネルギーにより駆動する発光体を駆動し、外部への照射光のパルスを低減させること、
を特徴とする照明装置。
【請求項２】
単相電源によりコイル分相電流とコンデンサ分相電流と、コイルとコンデンサ分相電流のスペクトルにより合成する電流とを経て、三者が個別に電気エネルギーにより駆動する発光体を駆動し、
双方向電気エネルギーにより駆動し、電気エネルギーにより駆動する発光体（１０１）、（１０２）、（１０３）の一端（１０１１）、（１０２１）、（１０３１）を相互接続し、また電気エネルギーにより駆動する発光体（１０２）の別端（１０２２）とコンデンサ（２０１）の一端（２０１１）を接続し、電気エネルギーにより駆動する発光体（１０３）の別端（１０３１）とコイル（３０１）の一端（３０１１）を接続し、またコンデンサ（２０１）の別端（２０１２）とコイル（３０１）の別端（３０１２）を接続してから、交流または双方向電気エネルギーの一端へ通じ、また電気エネルギーにより駆動する発光体（１０１）の別端（１０１２）と交流または双方向電気エネルギーの別端を接続し、その中を通過する電気エネルギーにより駆動する発光体（１０１）の電流（Ｉ１０１）は、通過する電気エネルギーにより駆動する発光体（１０２）の電流（Ｉ１０２）と電気エネルギーにより駆動する発光体（１０３）の電流（Ｉ１０３）の両電流のスペクトルの和であり、即ち総電流であり、
電気エネルギーにより駆動する発光体（１０１）、（１０２）、（１０３）：フィラメントを持つ電球、ガス灯、固体電気エネルギーにより駆動する発光体、発光ダイオード（ＬＥＤ）の電気エネルギーを受けることにより駆動する発光体、三者は一体構造または三者をすぐ横に装着すること、
を特徴とする請求項１記載の照明装置。
【請求項３】
回路の中のコンデンサ（２０１）と電気エネルギーにより駆動する発光体（１０２）の位置、及びコイル（３０１）と電気エネルギーにより駆動する発光体（１０３）の位置のうち少なくとも一方を交換するようになっており、
電気エネルギーにより駆動する発光体（１０１）の一端（１０１１）とコンデンサ（２０１）の一端（２０１１）とコイル（３０１）の一端（３０１１）を相互接続し、またコンデンサ（２０１）の別端（２０１２）と電気エネルギーにより駆動する発光体（１０２）の一端（１０２１）を接続し、またコイル（３０１）の別端（３０１２）を電気エネルギーにより駆動する発光体（１０３）の一端（１０３１）と接続し、また電気エネルギーにより駆動する発光体（１０２）の別端（１０２２）と電気エネルギーにより駆動する発光体（１０３）の別端（１０３２）を接続してから電源の一端へ通じ、また電気エネルギーにより駆動する発光体（１０１）の別端（１０１１）と電源の別端を接続し、
電気エネルギーにより駆動する発光体（１０１）、（１０２）、（１０３）：フィラメントを持つ電球、ガス灯、固体電気エネルギーにより駆動する発光体、発光ダイオード（ＬＥＤ）の電気エネルギーを受けることにより駆動する発光体、三者は一体構造または三者をすぐ横に装着し、
この他にもし一連で設置するコンデンサ（２０１）またはコイル（３０１）の中の一種の電気エネルギーにより駆動する発光体と直接に電気エネルギーにより駆動する発光体（１０１）を並列に接続し、または一連で設置する抵抗の電気エネルギーにより駆動する発光体（１０１）と並列に接続することにより、発射する光エネルギーのパルスを改善すること、
を特徴とする請求項２記載の照明装置。
【請求項４】
コンデンサ（２０１）と電気エネルギーにより駆動する発光体（１０２）を直列に接続し、コイル（３０１）と電気エネルギーにより駆動する発光体（１０３）を直列に接続してから、更に直接電気エネルギーにより駆動する発光体（１０１）と、または抵抗（４０１）を電気エネルギーにより駆動する発光体（１０１）とを直列に接続した後、三者を交流電源に並列に接続することを含むことを特徴とする請求項１記載の照明装置。
【請求項５】
コンデンサ（２０１）と電気エネルギーにより駆動する発光体（１０２）を直列に接続し、かつ直接電気エネルギーにより駆動する発光体（１０１）と、または抵抗（４０１）を直列に接続する電気エネルギーにより駆動する発光体（１０１）と並列に接続し、交流または双方向電源を受けることにより駆動することを含むことを特徴とする請求項１記載の照明装置。
【請求項６】
コイル（３０１）と電気エネルギーにより駆動する発光体（１０３）を直列に接続し、かつ直接電気エネルギーにより駆動する発光体（１０１）と、または抵抗（４０１）を直列に接続する電気エネルギーにより駆動する発光体（１０１）と並列に接続し、交流または双方向電源を受けることにより駆動することを含むことを特徴とする請求項１記載の照明装置。
【請求項７】
コンデンサ（２０１）と電気エネルギーにより駆動する発光体（１０２）を直列に接続し、更にコイル（３０１）を直列に接続する電気エネルギーにより駆動する発光体（１０３）と並列に接続し、交流または双方向電源を受けることにより駆動することを含むことを特徴とする請求項１記載の照明装置。
【請求項８】
三相交流電源を採用し、電気エネルギーにより駆動する発光体に対して送電することにより、発光照度のパルスを低下させることを含み、その中で三相四線式交流電源によりＹ接を呈す三セットの電気エネルギーを駆動する発光体の構造は、
電気エネルギーにより駆動する発光体（１０１）を直接にまたは抵抗性、コンデンサ性及びコイル性のうち少なくとも一つのインピーダンス素子（１０００）と直列に接続し、直列に接続した後の一端は三相電源コード（Ｒ）へ通じ、別端はＹ接の相互接続点へ通じ、
電気エネルギーにより駆動する発光体（１０２）を直接にまたは抵抗性、コンデンサ性及びコイル性のうち少なくとも一つのインピーダンス素子（１０００）と直列に接続し、直列に接続した後の一端は三相電源コード（Ｓ）へ通じ、別端はＹ接の相互接続点へ通じ、
電気エネルギーにより駆動する発光体（１０３）を直接にまたは抵抗性、コンデンサ性及びコイル性のうち少なくとも一つのインピーダンス素子（１０００）と直列に接続し、直列に接続した後の一端は三相電源コード（Ｔ）へ通じ、別端はＹ接の相互接続点へ通じること、
を特徴とする請求項１記載の照明装置。
【請求項９】
三相交流電源を採用し、電気エネルギーにより駆動する発光体に対して送電することにより、発光照度のパルスを低下させることを含み、その中で三相交流電源により△接を呈す三セットの電気エネルギーにより駆動する発光体の構造は、
電気エネルギーにより駆動する発光体（１０１）は直接にまたは直列に接続する抵抗性、コンデンサ性及びコイル性のうち少なくとも一つのインピーダンス素子（１０００）、更に並列に接続する於電源コード（Ｒ）及び電源コード（Ｓ）の間にあり、
電気エネルギーにより駆動する発光体（１０２）は直接にまたは直列に接続する抵抗性、コンデンサ性及びコイル性のうち少なくとも一つのインピーダンス素子（１０００）、更に並列に接続する於電源コード（Ｓ）及び電源コード（Ｔ）の間にあり、
電気エネルギーにより駆動する発光体（１０３）は直接にまたは直列に接続する抵抗性、コンデンサ性及びコイル性のうち少なくとも一つのインピーダンス素子（１０００）、更に並列に接続する於電源コード（Ｔ）及び電源コード（Ｒ）の間にあること、
を特徴とする請求項１記載の照明装置。
【請求項１０】
三相交流電源を採用し、電気エネルギーにより駆動する発光体に対して送電することにより、発光照度のパルスを低下させることを含み、その中で三相交流電源によりＶ接を呈す二セットの電気エネルギーにより駆動する発光体の構造は、
電気エネルギーにより駆動する発光体（１０１）を直接にまたは抵抗性、コンデンサ性及びコイル性のうち少なくとも一つのインピーダンス素子（１０００）と直列に接続し、更に電源コード（Ｒ）と電源コード（Ｓ）の間に並列に接続し、
電気エネルギーにより駆動する発光体（１０２）を直接にまたは抵抗性、コンデンサ性及びコイル性のうち少なくとも一つのインピーダンス素子（１０００）と直列に接続し、更に電源コード（Ｓ）と電源コード（Ｔ）の間に並列に接続すること、
を特徴とする請求項１記載の照明装置。
【請求項１１】
三相交流電源を採用し、電気エネルギーにより発光体を駆動して送電することにより、発光照度のパルスを低下させることを含み、その中で三相交流電源によりＶ接を呈す二セットの電気エネルギーを駆動する発光体の構造は、
電気エネルギーにより駆動する発光体（１０１）と電気エネルギーにより駆動する発光体（１０２）を直列に接続した後、電源コード（Ｒ）と電源コード（Ｔ）の間に並列に接続し、
電源コード（Ｓ）と抵抗性、コンデンサ性及びコイル性のうち少なくとも一つのインピーダンス素子（１０００）を直列に接続した後、更に電気エネルギーにより駆動する発光体（１０１）と電気エネルギーにより駆動する発光体（１０２）の接続点に直列に接続すること、
を特徴とする請求項1記載の照明装置。
【請求項１２】
多相交流電源を直流電源に変換することを通して、同一の電気エネルギーにより駆動する発光体を駆動し、または別々にすぐ横に設置される個別の電気エネルギーにより駆動する発光体を駆動することにより、外部への光のパルスを低減させることを含み、その中で三相交流電源が電流制限素子（Ｚ１０）を経て三相全波へ送り、ブリッジ整流器により整流された直流電気エネルギーを直流電気エネルギーにより駆動する発光体（２０００）へ送り、
三相ブリッジ整流器（３０００）の三相交流電源（Ｒ）、（Ｓ）、（Ｔ）の入力端を別々に電流制限用のインピーダンス素子（Ｚ１０）と直列に接続し、更に三相交流電源へ通じ、電流制限用のインピーダンス素子（Ｚ１０）の構造は、抵抗（４０１）、コイル（３０１）及びコンデンサ（２０１）の少なくとも一つを含み、またその直流出力端の直流電気エネルギーを直流電気エネルギーにより駆動する発光体（２０００）へ送り、
直流電気エネルギーにより駆動する発光体（２０００）は、フィラメントを持つ電球、ガス灯、固体電気エネルギーにより駆動する発光体、発光ダイオード（ＬＥＤ）の直流電気エネルギーを受けることにより駆動する発光体を構成すること、
を特徴とする請求項１１記載の照明装置。
【請求項１３】
多相交流電源を通して直流電源に変換し、同一の電気エネルギーにより駆動する発光体を駆動し、または別々にすぐ横に設置される個別の電気エネルギーにより駆動する発光体を駆動し、外部への照射光のパルスを低減させ、その中で三相交流電源により半波電流制限用のインピーダンス素子（Ｚ１１）を経て、三相半波整流器（３５００）へ送り、整流後の直流電気エネルギーを直流電気エネルギーにより駆動する発光体（２０００）へ送り、
三相半波整流器（３５００）の三相交流電源（Ｒ）、（Ｓ）、（Ｔ）入力端を別々に半波電流制限用のインピーダンス素子（Ｚ１１）と直列に接続し、更に三相交流電源へ通じ、半波電流制限用のインピーダンス素子（Ｚ１１）の構造は、抵抗（４０１）、コイル（３０１）及びコンデンサ（２０１）のうち少なくとも一つの構造を含み、また三相半波流装置（３５００）の直流出力端の直流電気エネルギーを直流電気エネルギーにより駆動する発光体（２０００）へ送り、また直流電気エネルギーにより駆動する発光体（２０００）の負端にある三相四線電源の中性線（Ｎ）へ通じ、
直流電気エネルギーにより駆動する発光体（２０００）は、フィラメントを持つ電球、ガス灯、固体電気エネルギーにより駆動する発光体、発光ダイオード（ＬＥＤ）の直流電気エネルギーを受けることにより発光体を構成すること、
を特徴とする請求項１記載の照明装置。
【請求項１４】
単相交流電源を使用する場合、１．単相交流電源と抵抗（４０１）の出力電気エネルギーを一連で設置し、２．同一単相交流電源とコンデンサ（２０１）の出力電気エネルギーを一連で設置し、３．同一単相交流電源とコイル（３０１）の電気エネルギーを一連で設置し、その中の少なくとも二種類の電気エネルギーにより、個別の整流装置に整流された後、共同して直流電気エネルギーにより駆動する発光体（２０００）を駆動し、発射する光エネルギーのパルスを改善することができることを特徴とする請求項１記載の照明装置。
【請求項１５】
コンデンサ及びコイルを通して、単相電源を分相させてから更に全波整流し、直流電気エネルギーにより駆動する発光体（２０００）を駆動することを含み、単相交流電源の一端によりコンデンサ（２０１）を経て、単相ブリッジ整流器（８０２）の交流入力端の一端へ通じ、同一単相交流電源の同一端によりコイル（３０１）を経て、別セットの単相ブリッジ整流器（８０３）の交流入力端の一端へ通じ、単相交流電源の別端により、単相ブリッジ整流器（８０２）及び（８０３）の交流電源の別の入力端へ送り、更に単相ブリッジ整流器（８０２）、（８０３）の直流出力端を同極になるように並列に接続することにより、直流電気エネルギーにより駆動する発光体（２０００）を駆動することを特徴とする請求項１記載の照明装置。
【請求項１６】
コンデンサ及び抵抗を通して、単相電源を分相させてから更に全波整流し、直流電気エネルギーにより駆動する発光体（２０００）を駆動することを含み、単相交流電源の一端によりコンデンサ（２０１）を経て単相ブリッジ整流器（８０２）の交流入力端の一端へ通じ、同一単相交流電源の同一端により抵抗（４０１）を経て別セットの単相ブリッジ整流器（８０４）の交流入力端の一端へ通じ、単相交流電源の別端により、単相ブリッジ整流器（８０２）及び（８０４）の交流電源の別の入力端へ送り、更に単相ブリッジ整流器（８０２）、（８０４）の直流出力端を同極になるように並列に接続することにより、直流電気エネルギーにより駆動する発光体（２０００）を駆動することを特徴とする請求項１記載の照明装置。
【請求項１７】
コイル及び抵抗を通して、単相電源を分相させてから更に全波整流し、直流電気エネルギーを駆動することにより発光体（２０００）を駆動することを含み、単相交流電源の一端によりコイル（３０１）を経て単相ブリッジ整流器（８０３）の交流入力の一端へ通じ、同一単相交流電源の同一端により抵抗（４０１）を経て、別セットの単相ブリッジ整流器（８０４）の交流入力端の一端へ通じ、単相交流電源の別端により単相ブリッジ整流器（８０３）及び（８０４）の交流電源の別の入力端へ送り、更に単相ブリッジ整流器（８０３）及び（８０４）の直流出力端を同極になるように並列に接続することにより、直流電気エネルギーにより駆動する発光体（２０００）を駆動することを特徴とする請求項１記載の照明装置。
【請求項１８】
コイル、抵抗及びコンデンサを通して、単相電源を分相させてから更に全波整流し、直流電気エネルギーにより駆動する発光体（２０００）を駆動することを含み、単相交流電源の一端によりコイル（３０１）を経て単相ブリッジ整流器（８０３）の交流入力の一端へ通じ、同一単相交流電源の同一端により抵抗（４０１）を経て、別セットの単相ブリッジ整流器（８０４）の交流入力端の一端へ通じ、同一単相交流電源の同一端によりコンデンサ（２０１）を経て、別セットの単相ブリッジ整流器（８０２）の交流入力端の一端へ通じ、単相交流電源の別端により単相ブリッジ整流器（８０３）、（８０４）、（８０２）の交流電源の別の入力端へ送り、更に単相ブリッジ整流器（８０３）、（８０４）、（８０２）の直流出力端を同極になるように並列に接続することにより、直流電気エネルギーにより駆動する発光体（２０００）を駆動することを特徴とする請求項１記載の照明装置。
【請求項１９】
コイル及び抵抗を通して、単相電源を分相させてから更に半波整流し、直流電気エネルギーを駆動することにより発光体（２０００）を駆動することを含み、単相交流電源の一端によりコイル（３０１）を経て整流ダイオード（７０３）の交流入力端へ通じ、同一単相交流電源の同一端により抵抗（４０１）を経て、別セットの整流ダイオード（７０４）の交流入力端へ通じ、単相交流電源の別端を直流電気エネルギーにより駆動する発光体（２０００）の負端と接続し、整流ダイオード（７０３）及び（７０４）の直流出力正端を同極になるように並列に接続することにより、直流電気エネルギーにより駆動する発光体（２０００）を駆動することを特徴とする請求項１記載の照明装置。
【発明の詳細な説明】
【技術分野】
【０００１】
本発明は多相駆動電気エネルギーを通して、直接に交流電源の電気エネルギーにより発光体を駆動し、その発光照度は交流電源の電圧のパルス率に従って低下することに関する。
【背景技術】
【０００２】
伝統の交流電気エネルギー灯は、交流のパルスにより、不連続発光の光パルスを形成することはその欠点である。
【先行技術文献】
【特許文献】
【０００３】
【特許文献１】特表２００９−５４２４９７号公報
【発明の概要】
【発明が解決しようとする課題】
【０００４】
交流電気エネルギー灯は、交流のパルスにより、不連続発光の光パルスを形成することはその欠点である。
【課題を解決するための手段】
【０００５】
本発明は位相差を持つ多相交流電源を通して、または多相交流電源を直流電源に変換し、同一の電気エネルギーを駆動することにより発光体を駆動し、または別々にすぐ横に設置される個別の電気エネルギーを駆動することにより発光体を駆動し、外部への照射光のパルスを低減させる。
【図面の簡単な説明】
【０００６】
【図１】伝統の単相交流電源または交流を全波整流し、直接に電気エネルギーを駆動することにより発光体を駆動する光パルスの波形図を示す。
【図２】単相電源によりコイル分相電流とコンデンサ分相電流と、及びコイルとコンデンサ分相電流のスペクトルにより合成する電流とを経て、三者が個別に電気エネルギーにより駆動する発光体を駆動する回路例の説明図を示す。
【図３】図２の回路の中のコンデンサと電気エネルギーにより発光体を駆動する位置、及びコイルと電気エネルギーにより発光体を駆動する位置のうち少なくとも一方を交換する回路の説明図である。
【図４】図２及び図３の電気エネルギーにより駆動する発光体の照度の波形図を示す。
【図５】コンデンサと電気エネルギーにより駆動する発光体を直列に接続し、コイルと電気エネルギーにより駆動する発光体を直列に接続し、更に電気エネルギーにより駆動する発光体、または抵抗と電気エネルギーにより駆動する発光体を直列に接続してから、三者を交流電源に並列に接続する回路ブロック説明図を示す。
【図６】コンデンサと電気エネルギーにより駆動する発光体を直列に接続し、かつ直接に電気エネルギーにより駆動する発光体と、または抵抗を直列に接続する電気エネルギーにより駆動する発光体と並列に接続し、交流または双方向電源を受けることにより駆動する回路ブロック説明図を示す。
【図７】コイルと電気エネルギーにより駆動する発光体を直列に接続し、かつ電気エネルギーにより駆動する発光体と、または抵抗を直列に接続する電気エネルギーにより駆動する発光体と並列に接続し、交流または双方向電源を受けることにより駆動する回路ブロック説明図を示す。
【図８】コンデンサと電気エネルギーにより駆動する発光体を直列に接続し、更にコイルを直列に接続する電気エネルギーにより駆動する発光体と並列に接続し、交流または双方向電源を受けることにより駆動する回路ブロック説明図を示す。
【図９】三相四線式交流電源により、Ｙ接を呈す三セットの電気エネルギーにより駆動する発光体を駆動する回路例の説明図を示す。
【図１０】三相交流電源により、△接を呈す三セットの電気エネルギーにより駆動する発光体を駆動する回路の説明図を示す。
【図１１】三相交流電源により、Ｖ接を呈す二セットの電気エネルギーにより駆動する発光体を駆動する回路の説明図の一を示す。
【図１２】三相交流電源により、Ｖ接を呈す二セットの電気エネルギーにより駆動する発光体を駆動する回路の説明図の二を示す。
【図１３】三相交流電源が電流制限素子を経て三相全波へ送り、ブリッジ整流器により整流された直流電気エネルギーを直流電気エネルギーにより駆動する発光体へ送る回路例の説明図を示す。
【図１４】三相交流電源が半波電流制限用のインピーダンス素子を経て、三相半波整流器へ送り、整流された直流電気エネルギーを直流電気エネルギーにより駆動する発光体へ送る回路例の説明図を示す。
【図１５】コンデンサ及びコイルを通して、単相電源を分相させてから更に全波整流し、直流電気エネルギーにより駆動する発光体を駆動する回路例の説明図を示す。
【図１６】コンデンサ及び抵抗を通して、単相電源を分相させてから更に全波整流し、直流電気エネルギーにより駆動する発光体を駆動する回路例の説明図を示す。
【図１７】コイル及び抵抗を通して、単相電源を分相させてから更に全波整流し、直流電気エネルギーにより駆動する発光体を駆動する回路例の説明図を示す。
【図１８】コイルと抵抗とコンデンサを通して、単相電源を分相させてから更に全波整流し、直流電気エネルギーにより駆動する発光体を駆動する回路例の説明図を示す。
【図１９】コイル及び抵抗を通して、単相電源を分相させてから更に半波整流し、直流電気エネルギーにより駆動する発光体を駆動する回路例の説明図を示す。
【発明を実施するための形態】
【０００７】
伝統の交流電気エネルギー灯は、交流のパルスにより、不連続発光の光パルスを形成することはその欠点である。
【０００８】
本発明は位相差を持つ多相交流電源を通して、または多相交流電源を直流電源に変換することにより、同一の電気エネルギーにより駆動する発光体を駆動し、または別々にすぐ横に設置される個別の電気エネルギーにより駆動する発光体を駆動し、外部への照射光のパルスを低減させる。
【０００９】
図１に伝統の単相交流電源または交流を全波整流し、直接に電気エネルギーにより駆動する発光体を駆動する光パルスの波形図を示す。
【００１０】
図１に示されるａは交流電源の波形、ｂは交流を直流に整流した波形、ｃは電気エネルギーにより駆動する発光体を駆動する光パルスの波形であり、もし入力する電気エネルギーは双方向非正弦波の双方向パルス電気エネルギーである場合、その改善機能も同じである、
【００１１】
図２に単相電源によりコイル分相電流とコンデンサ分相電流と、コイルとコンデンサ分相電流のスペクトルにより合成する電流とを経て、三者が個別に電気エネルギーにより駆動する発光体を駆動する回路例の説明図を示す。
【００１２】
図２に示す構造は下記の通り：
【００１３】
双方向電気エネルギーにより駆動し、電気エネルギーにより駆動する発光体１０１、１０２、１０３の一端１０１１、１０２１、１０３１を相互接続し、また電気エネルギーにより駆動する発光体１０２の別端１０２２とコンデンサ２０１の一端２０１１を接続し、電気エネルギーにより駆動する発光体１０３の別端１０３２とコイル３０１の一端３０１１を接続し、またコンデンサ２０１の別端２０１２とコイル３０１の別端３０１２を接続してから、交流または双方向電気エネルギーの一端へ通じ、また電気エネルギーにより駆動する発光体１０１の別端１０１２と交流または双方向電気エネルギーの別端を接続し、その中に電気エネルギーにより駆動する発光体１０１を通過する電流Ｉ１０１は、電気エネルギーにより駆動する発光体１０２を通過する電流Ｉ１０２と電気エネルギーにより駆動する発光体１０３を通過する電流Ｉ１０３の両電流のスペクトルの和であり、即ち総電流である。
【００１４】
電気エネルギーにより駆動する発光体１０１、１０２、１０３：フィラメントを持つ電球、ガス灯、固体電気エネルギーにより駆動する発光体、例えば発光ダイオード（ＬＥＤ）等の電気エネルギーを受けることにより駆動する発光体、三者は一体構造または三者をすぐ横に装着する。
【００１５】
図３に図２の回路の中のコンデンサ２０１と電気エネルギーにより駆動する発光体１０２の位置、及びコイル３０１と電気エネルギーにより駆動する発光体１０３の位置のうち少なくとも一方を交換する回路の説明図を示す。その中で：
【００１６】
電気エネルギーにより駆動する発光体１０１の一端１０１１とコンデンサ２０１の一端２０１１とコイル３０１の一端３０１１を相互接続し、またコンデンサ２０１の別端２０１２と電気エネルギーにより駆動する発光体１０２の一端１０２１を接続し、またコイル３０１の別端３０１２を電気エネルギーにより駆動する発光体１０３の一端１０３１と接続し、また電気エネルギーにより駆動する発光体１０２の別端１０２２と電気エネルギーにより駆動する発光体１０３の別端１０３２を接続してから電源の一端へ通じ、また電気エネルギーにより駆動する発光体１０１の別端１０１２と電源の別端を接続する、
【００１７】
電気エネルギーにより駆動する発光体１０１、１０２、１０３：フィラメントを持つ電球、ガス灯、固体電気エネルギーにより駆動する発光体、例えば発光ダイオード（ＬＥＤ）等の電気エネルギーを受けることにより駆動する発光体、三者は一体構造または三者をすぐ横に装着する。
【００１８】
この他にもし一連で設置するコンデンサ２０１またはコイル３０１の中の一種の電気エネルギーにより駆動する発光体と直接に電気エネルギーにより駆動する発光体１０１を並列に接続し、または一連で設置する抵抗の電気エネルギーにより駆動する発光体１０１と並列に接続することにより、発射する光エネルギーのパルスを改善する。
【００１９】
図４に示している図２及び図３の電気エネルギーにより駆動する発光体の照度の波形図から、図４の中の光のパルスが大幅に低下することが分かる。
【００２０】
図５にコンデンサ２０１と電気エネルギーにより駆動する発光体１０２を直列に接続し、及びコイル３０１と電気エネルギーにより駆動する発光体１０３を直列に接続してから、更に直接電気エネルギーにより駆動する発光体１０１と、または抵抗４０１と電気エネルギーにより駆動する発光体１０１を直列に接続した後、三者を交流電源に並列に接続する回路ブロック説明図を示す。図５の中に、コンデンサ２０１と電気エネルギーにより駆動する発光体１０２を直列に接続し、コイル３０１と電気エネルギーにより駆動する発光体１０３を直列に接続し、更に直接電気エネルギーにより駆動する発光体１０１、または抵抗４０１と電気エネルギーにより駆動する発光体１０１を直列に接続した後、三者を交流電源に並列に接続する。
【００２１】
図６にコンデンサ２０１と電気エネルギーにより駆動する発光体１０２を直列に接続し、かつ直接電気エネルギーにより駆動する発光体１０１と、または抵抗４０１を直列に接続する電気エネルギーにより駆動する発光体１０１と並列に接続し、交流または双方向電源を受けることにより駆動する回路ブロック説明図を示す。図６の中に、コンデンサ２０１と電気エネルギーにより駆動する発光体１０２を直列に接続し、かつ直接に電気エネルギーにより駆動する発光体１０１と、または抵抗４０１を直列に接続する電気エネルギーにより駆動する発光体１０１と並列に接続し、交流または双方向電源を受けることにより駆動する。
【００２２】
図７にコイル３０１と電気エネルギーにより駆動する発光体１０３を直列に接続し、かつ直接電気エネルギーにより駆動する発光体１０１と、または抵抗４０１を直列に接続する電気エネルギーにより駆動する発光体１０１と並列に接続し、交流または双方向電源を受けることにより駆動する回路ブロック説明図を示す。図７の中に、コイル３０１と電気エネルギーにより駆動する発光体１０３を直列に接続し、かつ直接に電気エネルギーにより駆動する発光体１０１と、または抵抗４０１を直列に接続する電気エネルギーにより駆動する発光体１０１と並列に接続し、交流または双方向電源を受けることにより駆動する。
【００２３】
図８にコンデンサ２０１と電気エネルギーにより駆動する発光体１０２を直列に接続し、更にコイル３０１を直列に接続する電気エネルギーにより駆動する発光体１０３と並列に接続し、交流または双方向電源を受けることにより駆動する回路ブロック説明図を示す。図８の中に、コンデンサ２０１と電気エネルギーにより駆動する発光体１０２を直列に接続し、更にコイル３０１を直列に接続する電気エネルギーにより駆動する発光体１０３と並列に接続し、交流または双方向電源を受けることにより駆動する。
【００２４】
本実施例の多相駆動電気エネルギーを通して光パルスを抑制する照明装置は、三相交流電源を採用し、電気エネルギーにより駆動する発光体に対して送電し、光のパルス照度を低減させることも可能である。
【００２５】
図９に三相四線式交流電源により、Ｙ接を呈す三セット電気エネルギーにより駆動する発光体を駆動する回路例の説明図を示す。図９に示すように、その構造は下記を含む：
【００２６】
電気エネルギーにより駆動する発光体１０１を直接にまたは抵抗性、コンデンサ性及びコイル性のうち少なくとも一つのインピーダンス素子１０００と直列に接続し、直列に接続した後の一端は三相電源コードＲへ通じ、別端はＹ接の相互接続点へ通じる。
【００２７】
電気エネルギーにより駆動する発光体１０２を直接にまたは抵抗性、コンデンサ性及びコイル性のうち少なくとも一つのインピーダンス素子１０００と直列に接続し、直列に接続した後の一端は三相電源コードＳへ通じ、別端はＹ接の相互接続点へ通じる。
【００２８】
電気エネルギーにより駆動する発光体１０３を直接にまたは抵抗性、コンデンサ性及びコイル性のうち少なくとも一つのインピーダンス素子１０００と直列に接続し、直列に接続した後の一端は三相電源コードＴへ通じ、別端はＹ接の相互接続点へ通じる。
【００２９】
図１０に三相交流電源により、△接を呈す三セット電気エネルギーにより駆動する発光体を駆動する回路の説明図を示す。図１０に示すように、その構造は下記を含む：
【００３０】
電気エネルギーにより駆動する発光体１０１を直接にまたは抵抗性、コンデンサ性及びコイル性のうち少なくとも一つのインピーダンス素子１０００と直列に接続し、更に電源コードＲ及び電源コードＳの間に並列に接続する。
【００３１】
電気エネルギーにより駆動する発光体１０２を直接にまたは抵抗性、コンデンサ性及びコイル性のうち少なくとも一つのインピーダンス素子１０００と直列に接続し、更に電源コードＳ及び電源コードＴの間に並列に接続する。
【００３２】
電気エネルギーにより駆動する発光体１０３を直接にまたは抵抗性、コンデンサ性及びコイル性のうち少なくとも一つのインピーダンス素子１０００と直列に接続し、更に電源コードＴ及び電源コードＲの間に並列に接続する。
【００３３】
図１１に三相交流電源により、Ｖ接を呈す二セット電気エネルギーにより駆動する発光体を駆動する回路の説明図の一を示す。図１１に示すように、その構造は下記を含む：
【００３４】
電気エネルギーにより駆動する発光体１０１を直接にまたは抵抗性、コンデンサ性及びコイル性のうち少なくとも一つのインピーダンス素子１０００と直列に接続し、更に電源コードＲと電源コードＳの間に並列に接続する。
【００３５】
電気エネルギーにより駆動する発光体１０２を直接にまたは抵抗性、コンデンサ性及びコイル性のうち少なくとも一つのインピーダンス素子１０００と直列に接続し、更に電源コードＳと電源コードＴの間に並列に接続する。
【００３６】
図１２に三相交流電源により、Ｖ接を呈す二セット電気エネルギーにより駆動する発光体を駆動する回路の説明図の二を示す。図１２に示すように、その構造は下記を含む：
【００３７】
電気エネルギーにより駆動する発光体１０１と電気エネルギーにより駆動する発光体１０２を直列に接続した後、電源コードＲと電源コードＴの間に並列に接続する。
【００３８】
電源コードＳと抵抗性、コンデンサ性及びコイル性のうち少なくとも一つのインピーダンス素子１０００を直列に接続した後、更に電気エネルギーにより駆動する発光体１０１と電気エネルギーにより駆動する発光体１０２の接続点に直列に接続する。
【００３９】
本実施例の多相駆動電気エネルギーを通して光パルスを抑制する照明装置は、一歩を進んで多相交流電源を直流電源に変換することを通して、同一の電気エネルギーを駆動することにより発光体を駆動し、または別々にすぐ横に設置される個別の電気エネルギーにより駆動する発光体を駆動することにより、外部への光のパルスを低減させる実施例は下記の通り、その中で：
【００４０】
図１３に三相交流電源が電流制限素子Ｚ１０を経て三相全波へ送り、ブリッジ整流器により整流された直流電気エネルギーを直流電気エネルギーにより駆動する発光体２０００へ送る回路例の説明図を示す。
【００４１】
図１３に示すように、その構造は下記の通り：
【００４２】
三相ブリッジ整流器３０００の三相交流電源Ｒ、Ｓ、Ｔの入力端を別々に電流制限用のインピーダンス素子Ｚ１０と直列に接続し、更に三相交流電源へ通じ、電流制限用のインピーダンス素子Ｚ１０の構造は、抵抗４０１、コイル３０１及びコンデンサ２０１のうち少なくとも一つを含む、またその直流出力端の直流電気エネルギーを直流電気エネルギーにより駆動する発光体２０００へ送る。
【００４３】
直流電気エネルギーにより駆動する発光体２０００：フィラメントを持つ電球、ガス灯、固体電気エネルギーにより駆動する発光体、例えば発光ダイオード（ＬＥＤ）等の直流電気エネルギーを受けることにより駆動する発光体を構成する。
【００４４】
図１４に三相交流電源により半波電流制限用のインピーダンス素子Ｚ１１を経て、三相半波整流器３５００へ送り、整流後の直流電気エネルギーを直流電気エネルギーにより駆動する発光体２０００へ送る回路例の説明図を示す。
【００４５】
図１４に示すように、その構造は下記の通り：
【００４６】
三相半波整流器３５００の三相交流電源Ｒ、Ｓ、Ｔ入力端を別々に半波電流制限用のインピーダンス素子Ｚ１１と直列に接続し、更に三相交流電源へ通じ、半波電流制限用のインピーダンス素子Ｚ１１の構造は、抵抗４０１、コイル３０１及びコンデンサ２０１のうち少なくとも一つの構造を含む、また三相半波流装置３５００の直流出力端の直流電気エネルギーを直流電気エネルギーにより駆動する発光体２０００へ送り、また直流電気エネルギーにより駆動する発光体２０００の負端にある三相四線電源の中性線Ｎへ通じる。
【００４７】
直流電気エネルギーにより駆動する発光体２０００：フィラメントを持つ電球、ガス灯、固体電気エネルギーにより駆動する発光体、例えば発光ダイオード（ＬＥＤ）等の直流電気エネルギーを受けることにより駆動する発光体を構成する。
【００４８】
もし単相交流電源を使用する場合、１．単相交流電源と抵抗４０１の出力電気エネルギーを一連で設置し、２．同一単相交流電源とコンデンサ２０１の出力電気エネルギーを一連で設置し、３．同一単相交流電源とコイル３０１の電気エネルギーを一連で設置し、その中の少なくとも二種類の電気エネルギーにより、個別の整流装置に整流された後、共同して直流電気エネルギーを駆動することにより発光体２０００を駆動し、発射する光エネルギーのパルスを改善することができる。
【００４９】
図１５にコンデンサ及びコイルを通して、単相電源を分相させてから更に全波整流し、直流電気エネルギーを駆動することにより発光体を駆動する回路例の説明図を示す。
【００５０】
図１５に本発明は単相交流電源の一端によりコンデンサ２０１を経て、単相ブリッジ整流器８０２の交流入力端の一端へ通じ、及び同一単相交流電源の同一端によりコイル３０１を経て、別セットの単相ブリッジ整流器８０３の交流入力端の一端へ通じ、単相交流電源の別端により、単相ブリッジ整流器８０２及び８０３の交流電源の別の入力端へ送り、更に単相ブリッジ整流器８０２、８０３の直流出力端を同極になるように並列に接続することにより、直流電気エネルギーにより駆動する発光体２０００を駆動することを示す。
図１６にコンデンサ及び抵抗を通して、単相電源を分相させてから更に全波整流し、直流電気エネルギーにより駆動する発光体を駆動する回路例の説明図を示す。
【００５１】
図１６に単相交流電源の一端によりコンデンサ２０１を経て単相ブリッジ整流器８０２の交流入力端の一端へ通じ、及び同一単相交流電源の同一端により抵抗４０１を経て別セットの単相ブリッジ整流器８０４の交流入力端の一端へ通じ、単相交流電源の別端により、単相ブリッジ整流器８０２及び８０４の交流電源の別の入力端へ送り、更に単相ブリッジ整流器８０２、８０４の直流出力端を同極になるように並列に接続することにより、直流電気エネルギーにより駆動する発光体２０００を駆動することを示す。
【００５２】
図１７にコイル及び抵抗を通して、単相電源を分相させてから更に全波整流し、直流電気エネルギーにより駆動する発光体を駆動する回路例の説明図を示す。
【００５３】
図１７に単相交流電源の一端によりコイル３０１を経て単相ブリッジ整流器８０３の交流入力の一端へ通じ、同一単相交流電源の同一端により抵抗４０１を経て、別セットの単相ブリッジ整流器８０４の交流入力端の一端へ通じ、単相交流電源の別端により単相ブリッジ整流器８０３及び８０４の交流電源の別の入力端へ送り、更に単相ブリッジ整流器８０３及び８０４の直流出力端を同極になるように並列に接続することにより、直流電気エネルギーにより駆動する発光体２０００を駆動することを示す。
【００５４】
図１８にコイルと抵抗とコンデンサを通して、単相電源を分相させてから更に全波整流し、直流電気エネルギーにより駆動する発光体を駆動する回路例の説明図を示す。
【００５５】
図１８に単相交流電源の一端によりコイル３０１を経て単相ブリッジ整流器８０３の交流入力の一端へ通じ、及び同一単相交流電源の同一端により抵抗４０１を経て、別セットの単相ブリッジ整流器８０４の交流入力端の一端へ通じ、及び同一単相交流電源の同一端によりコンデンサ２０１を経て、別セットの単相ブリッジ整流器８０２の交流入力端の一端へ通じ、単相交流電源の別端により単相ブリッジ整流器８０３、８０４、８０２の交流電源の別の入力端へ送り、更に単相ブリッジ整流器８０３、８０４、８０２の直流出力端を同極になるように並列に接続することにより、直流電気エネルギーにより駆動する発光体２０００を駆動することを示す。
【００５６】
図１９にコイル及び抵抗を通して、単相電源を分相させてから更に半波整流し、直流電気エネルギーを駆動することにより発光体を駆動する回路例の説明図を示す。
【００５７】
図１９に単相交流電源の一端によりコイル３０１を経て整流ダイオード７０３の交流入力端へ通じ、及び同一単相交流電源の同一端により抵抗４０１を経て、別セットの整流ダイオード７０４の交流入力端へ通じ、単相交流電源の別端を直流電気エネルギーにより駆動する発光体２０００の負端と接続し、整流ダイオード７０３及び７０４の直流出力正端を同極になるように並列に接続することにより、直流電気エネルギーにより駆動する発光体２０００を駆動することを示す。
【符号の説明】
【００５８】
１０１：電気エネルギーにより駆動する発光体、１０２：電気エネルギーにより駆動する発光体、１０３：電気エネルギーにより駆動する発光体、
１０００：コイルインピーダンス素子、１０１１：導電端、１０１２：導電端、
１０２１：導電端、１０２２：導電端、１０３１：導電端、１０３２：導電端、
２０１１：導電端、２０１２：導電端、３０１１：導電端、３０１２：導電端、
２０００：直流電気エネルギーにより駆動する発光体、２０１：コンデンサ、
３０００：三相ブリッジ整流器、３０１：コイル、３５００：三相半波整流器、
４０１：抵抗、７０３：整流ダイオード、７０４：整流ダイオード、
８０２：単相ブリッジ整流器、８０３：単相ブリッジ整流器、
８０４：単相ブリッジ整流器、ａ：交流電源の波形、ｂ：交流を直流に整流した波形、
ｃ ：電気エネルギーにより駆動する発光体を駆動する光パルスの波形、
Ｉ１０１：電流、Ｉ１０：電流２、Ｉ１０３：電流、Ｎ：中性線、
Ｒ：三相交流電源コード、Ｓ：三相交流電源コード、Ｔ：三相交流電源コード、
Ｚ１０：電流制限素子、Ｚ１１：半波電流制限用のインピーダンス素子
【図１】
2011009214.tif 000003
【図２】
2011009214.tif 000004
【図３】
2011009214.tif 000005
【図４】
2011009214.tif 000006
【図５】
2011009214.tif 000007
【図６】
2011009214.tif 000008
【図７】
2011009214.tif 000009
【図８】
2011009214.tif 000010
【図９】
2011009214.tif 000011
【図１０】
2011009214.tif 000012
【図１１】
2011009214.tif 000013
【図１２】
2011009214.tif 000014
【図１３】
2011009214.tif 000015
【図１４】
2011009214.tif 000016
【図１５】
2011009214.tif 000017
【図１６】
2011009214.tif 000018
【図１７】
2011009214.tif 000019
【図１８】
2011009214.tif 000020
【図１９】
2011009214.tif 000021
【外国語明細書】
2011009214.tif 000022
2011009214.tif 000023
2011009214.tif 000024
2011009214.tif 000025
2011009214.tif 000026
2011009214.tif 000027
2011009214.tif 000028
2011009214.tif 000029
2011009214.tif 000030
2011009214.tif 000031
2011009214.tif 000032
2011009214.tif 000033
2011009214.tif 000034
2011009214.tif 000035
2011009214.tif 000036
2011009214.tif 000037
2011009214.tif 000038
2011009214.tif 000039
2011009214.tif 000040
2011009214.tif 000041
2011009214.tif 000042
2011009214.tif 000043
2011009214.tif 000044
2011009214.tif 000045
2011009214.tif 000046
2011009214.tif 000047
2011009214.tif 000048
2011009214.tif 000049
2011009214.tif 000050
2011009214.tif 000051
2011009214.tif 000052
2011009214.tif 000053
2011009214.tif 000054
2011009214.tif 000055
2011009214.tif 000056